(57)【要約】【課題】支柱の沓石となる基礎コンクリートブロックを施工現場において、軽労力での能率良く成形できるようにする。【解決手段】地面（Ｇ）に埋込む基礎コンクリートブロック成形用の型枠（Ｍ）であって、１枚物の段ボール紙（Ｐ）から角筒体に折曲げ立体化された型枠本体（１１）と、その開口下端縁部から内向き直角に折曲げ重合されて、型枠本体を有底状態に施蓋する合計４枚の底フラップ（１４ａ）〜（１４ｄ）と、同じく型枠本体の開口上端縁部から内向き鋭角に折曲げられて、山形に突き合う一対の屋根フラップ（１９ａ）（１９ｂ）とを備え、上記型枠本体の内部へ上方から支柱（１０）を差込むと共に生コンクリート（Ｃ）を充填し、その支柱（１０）を生コンクリートが硬化するまでの間、上記屋根フラップの向かい合う一対により安定な垂立状態に挟み付け保持できるように定めた。【選択図】図２１
2010196384.tif 000002
【特許請求の範囲】
【請求項１】
長方形な１枚物の段ボール紙を、その短辺と平行な複数の縦折曲げ稜線から順次内向き直角に折り曲げてゆくことにより、断面ほぼ正方形な一定深さの角筒体として組み立てられた埋込み型枠本体と、
上記型枠本体の正方形な開口下端縁部から、その１辺の約半分に相当する一定長さだけ各々連続一体に張り出された合計４枚の底フラップと、
同じく型枠本体の正方形な開口上端縁部から上記底フラップよりも長く連続一体に張り出し、且つその張り出し先端部に支柱挟み付け凹溝が切り欠かれた向かい合う一対の屋根フラップとを備え、
上記底フラップを型枠本体の縦折曲げ稜線と直交する横折曲げ稜線から、各々内向き直角に折り曲げ重合させることにより、その型枠本体の内部へ上方から支柱の差し込みと生コンクリートの充填とを行なえる有底状態に施蓋すると共に、
上記屋根フラップをやはり型枠本体の縦折曲げ稜線と直交する横折曲げ稜線から、各々内向き鋭角に折り曲げて、その山形に突き合う支柱挟み付け凹溝により、上記支柱を生コンクリートの硬化するまで垂立状態に挟み付け保持できるように定めたことを特徴とする沓石となる基礎コンクリートブロック成形用の埋込み型枠。
【請求項２】
底フラップの張り出し先端部に各々支柱受け入れ凹溝を切り欠くと共に、
上記底フラップの合計４枚を内向き直角に折り曲げ重合させた時、その支柱受け入れ凹溝同士が悉く合致連通して、１個の支柱受け入れ口を区成するように定めたことを特徴とする請求項１記載の沓石となる基礎コンクリートブロック成形用の埋込み型枠。
【請求項３】
屋根フラップの支柱挟み付け凹溝と底フラップの支柱受け入れ凹溝とを、互いにほぼ同じ輪郭形状に切り欠くと共に、
その支柱挟み付け凹溝の切欠き深さを支柱受け入れ凹溝の切欠き深さよりも深く相違させたことを特徴とする請求項２記載の沓石となる基礎コンクリートブロック成形用の埋込み型枠。
【請求項４】
１枚物の段ボール紙を２層のそれとして、薄くとも約８mmの厚みに寸法化したことを特徴とする請求項１又は２記載の沓石となる基礎コンクリートブロック成形用の埋込み型枠。
【発明の詳細な説明】
【技術分野】
【０００１】
本発明は各種屋外造作物の支柱（以下、杭も含む。）を立てる沓石となる基礎コンクリートブロック成形用の埋込み型枠に関する。
【背景技術】
【０００２】
従来、ガーデンフエンスやブロック塀、囲い柵、手摺り、門扉、自転車置き場、立て看板、ベンチ、その他の各種屋外造作物の金属製支柱を立てる沓石は、図２４のような支柱の挿入穴（６）を有する角筒形のコンクリート２次製品として、下記の表１に例示するような数品種が市販されている。
【０００３】
【表１】
2010196384.tif 000003
【０００４】
尚、図２４の挿入穴（６）は円形に開口されているが、その開口形状としては実開平４−４３９４９号公報の第５図に記載された沓石（１）の挿入穴（６）から明白な四角形もある。
【先行技術文献】
【特許文献】
【０００５】
【特許文献１】実開平４−４３９４９号公報
【発明の概要】
【発明が解決しようとする課題】
【０００６】
ところが、実開平４−４３９４９号公報の記載に基いて言えば、そのコンクリート２次製品として角筒形に成形された沓石（基礎コンクリートブロック）（１）の場合、ブロック塀（２）を組立施工するユーザーが、その嵩張る重量物の沓石（１）を現場へ搬入し、しかもその沓石（１）の挿入穴（６）へ支柱（脚部材の支持脚）（７）を、上方から差し込み起立させた後、セメントモルタル（１５）を充填して硬化させなければならないため、その一連の作業上甚だ煩らわしく、多大の労力と経費を余儀なくされるのである。
【課題を解決するための手段】
【０００７】
本発明はこのような課題の抜本的な解決を目的としており、その目的を達成するために、請求項１では長方形な１枚物の段ボール紙を、その短辺と平行な複数の縦折曲げ稜線から順次内向き直角に折り曲げてゆくことにより、断面ほぼ正方形な一定深さの角筒体として組み立てられた埋込み型枠本体と、
【０００８】
上記型枠本体の正方形な開口下端縁部から、その１辺の約半分に相当する一定長さだけ各々連続一体に張り出された合計４枚の底フラップと、
【０００９】
同じく型枠本体の正方形な開口上端縁部から上記底フラップよりも長く連続一体に張り出し、且つその張り出し先端部に支柱挟み付け凹溝が切り欠かれた向かい合う一対の屋根フラップとを備え、
【００１０】
上記底フラップを型枠本体の縦折曲げ稜線と直交する横折曲げ稜線から、各々内向き直角に折り曲げ重合させることにより、その型枠本体の内部へ上方から支柱の差し込みと生コンクリートの充填とを行なえる有底状態に施蓋すると共に、
【００１１】
上記屋根フラップをやはり型枠本体の縦折曲げ稜線と直交する横折曲げ稜線から、各々内向き鋭角に折り曲げて、その山形に突き合う支柱挟み付け凹溝により、上記支柱を生コンクリートの硬化するまで垂立状態に挟み付け保持できるように定めたことを特徴とする。
【００１２】
請求項２では底フラップの張り出し先端部に各々支柱受け入れ凹溝を切り欠くと共に、
【００１３】
上記底フラップの合計４枚を内向き直角に折り曲げ重合させた時、その支柱受け入れ凹溝同士が悉く合致連通して、１個の支柱受け入れ口を区成するように定めたことを特徴とする。
【００１４】
請求項３では屋根フラップの支柱挟み付け凹溝と底フラップの支柱受け入れ凹溝とを、互いにほぼ同じ輪郭形状に切り欠くと共に、
【００１５】
その支柱挟み付け凹溝の切欠き深さを支柱受け入れ凹溝の切欠き深さよりも深く相違させたことを特徴とする。
【００１６】
更に、請求項４では１枚物の段ボール紙を２層のそれとして、薄くとも約８mmの厚みに寸法化したことを特徴とする。
【発明の効果】
【００１７】
請求項１の上記構成によれば、支柱の沓石となる基礎コンクリートブロック成形用埋込み型枠が、１枚物の段ボール紙から成るため、その角筒体として組み立てられた多数を使用する場合でも、ガーデンフエンスや囲い柵、その他の各種屋外造作物を組立施工する現場へ、軽量品として便利良く安価に搬入することができ、その型枠本体の深さも中途部からの切断により、自由自在に変更・調整し得る効果がある。
【００１８】
そして、断面ほぼ正方形の角筒体に組み立てられた有底状態の型枠本体を、現場の地面に掘った埋込み凹所へ設置し、その型枠本体の角筒内へ上方から上記屋外造作物の支柱を差し込み起立させると共に、生コンクリート又はセメントモルタルを充填して硬化させることにより、その支柱の沓石となる基礎コンクリートブロックを容易に成形することができ、その使用後の埋込み型枠を地面から取り出し除去する必要もなく、その埋設状態に放置しても良いので、軽労力での能率良く作業し得る効果がある。
【００１９】
この点、冒頭に述べた従来技術ではコンクリート２次製品として重く嵩張る沓石（基礎コンクリートブロック）を購入し、これを施工現場の地面に埋設するだけでなく、その支柱挿入穴へ更にセメントモルタルを充填して硬化させなければならず、その一連の重労働を行なわなければ、上記支柱を据え立て固定できないのである。
【００２０】
特に、請求項２の構成を採用するならば、一定深さの角筒体として組み立てられた型枠本体の底面を、合計４枚の底フラップから折り曲げ重合された積層状態として、耐圧力の向上を図りつつも、その中央部に区成された１個の支柱受け入れ口へ、上方から支柱を容易に差し込み垂立させることができ、その支柱が向かい合う一対の屋根フラップにより挟み付けられることとも相俟って、その支柱を生コンクリートが硬化するまでの間に振れ動くことなく、安定な垂立状態に固定保持し得る効果がある。
【００２１】
その場合、請求項３の構成を採用するならば、上記支柱の断面形状が円形や角形、アングル形などとして異なるも、これを常時安定良く受け入れたり、又挟み付けたりすることができ、高品質な基礎コンクリートブロック（沓石）の成形に役立つ。
【００２２】
更に、請求項４の構成を採用するならば、生コンクリートの充填圧力に耐え、容易に形崩れしたり、生コンクリートが漏出したりしない埋込み型枠を得られる効果がある。
【図面の簡単な説明】
【００２３】
【図１】本発明の埋込み型枠になる段ボール紙の打抜き状態を示す展開正面図である。
【図２】同じく段ボール紙の好ましい別な打抜き状態を示す展開正面図である。
【図３】図２から角筒体に折曲げ立体化した状態を示す斜面図である。
【図４】図３の正面図である。
【図５】図４から底フラップを折曲げ重合させた状態の正面図である。
【図６】図５の底面図である。
【図７】図６の円形な支柱受け入れ口へ丸パイプ材の支柱を差込んだ状態の底面図である。
【図８】正方形の支柱受け入れ口を示す図７に対応する底面図である
【図９】長方形の支柱受け入れ口を示す図７に対応する底面図である
【図１０】正方形の支柱受け入れ口へ等辺山形鋼材の支柱を差込んだ状態の底面図である。
【図１１】長方形の支柱受け入れ口へ不等辺山形鋼材の支柱を差込んだ状態の底面図である。
【図１２】長方形の支柱受け入れ口へサドル形鋼材の支柱を差込んだ状態の底面図である。
【図１３】図５から屋根フラップを折曲げ突き合わせた状態の斜面図である。
【図１４】図１３の正面図である。
【図１５】角筒体の型枠本体を中途部から水平に切断した状態の斜面図である。
【図１６】図１５の上側本体部に下方からスリットを切り込んだ状態の斜面図である。
【図１７】図１６の上側本体部を下側本体部へ上方から被着させた状態の斜面図である。
【図１８】図１７の四隅位置を仮止め固定した状態の斜面図である。
【図１９】有底状態の埋込み型枠を地面の埋込み凹所へ設置した状態の半欠截断面図である。
【図２０】埋込み型枠の内部へ上方から支柱を差し込み起立させ、生コンクリート又はセメントモルタルを充填した状態の半欠截断面図である。
【図２１】埋込み型枠の屋根フラップにより支柱を挟み付け保持した状態の半欠截断面図である。
【図２２】沓石となる基礎コンクリートブロックの硬化状態を示す半欠截断面図である。
【図２３】屋外造作物の一例であるフエンスの組立施工状態を示す正面図である。
【図２４】従来の沓石を示す斜面図である。
【発明を実施するための形態】
【００２４】
以下、図面に基いて本発明の具体的構成を詳述すると、その本発明に係る各種屋外造作物の金属製支柱を立てる沓石となる基礎コンクリートブロック成形用の埋込み型枠（Ｍ）は、薄くとも約８mmの一定厚みを備えた１枚物の段ボール紙（Ｐ）（好ましくは表ライナー／中芯／中ライナー／中芯／裏ライナーから成る２層のそれ）から折り曲げ立体化されたものであり、上記支柱（１０）の沓石となる基礎コンクリートブロック（Ｂ）を成形すべく、地面（Ｇ）に埋設使用されるが、その成形後の経時的に自づと腐朽して、土中に消失する。
【００２５】
図１、２は上記段ボール紙（Ｐ）から打ち抜かれた埋込み型枠（Ｍ）の全体的な展開状態を示しており、（１１）はその長方形の輪郭形状をなす埋込み型枠本体、（１２ａ）（１２ｂ）（１２ｃ）（１２ｄ）はその長方形の短辺と平行に型押し刻印された複数の第１〜４縦折曲げ稜線であって、これらから段ボール紙（Ｐ）を順次内向き直角に折り曲げてゆき、その短辺の端側同士を接着一体化することにより、図３、４のような断面ほぼ正方形（例えば約１８０mm×１８０mm）の角筒体に組み立てられる。（１３）は接着代であるが、その接着剤に限らず、紙製や布製の接着テープを用いても良い。（Ｈ）は上記型枠本体（１１）の一定深さ（例えば約４５０mm）を示しており、その展開状態における長方形の短辺と符合する寸法である。
【００２６】
（１４ａ）（１４ｂ）（１４ｃ）（１４ｄ）は上記型枠本体（１１）の正方形な開口下端縁部から連続して、各々下向き一体に張り出された複数の第１〜４底フラップであって、何れもその正方形の１辺にほぼ相当する一定幅（Ｗ）（例えば約１８０mm）と、同じく１辺の約半分に相当する一定長さ（Ｌ１）（約９０mm）とを備えており、型枠本体（１１）との境界線（上記展開状態における長方形の長辺）をなす第１〜４横折曲げ稜線（１５ａ）（１５ｂ）（１５ｃ）（１５ｄ）から、各々内向き直角に折り曲げられる。
【００２７】
図３、４のような角筒体として一旦組み立てられた型枠本体（１１）の正方形な開口下端縁部から、第１〜４底フラップ（１４ａ）（１４ｂ）（１４ｃ）（１４ｄ）が各々内向き直角に折り曲げられると、その第１底フラップ（１４ａ）と第３底フラップ（１４ｃ）との張り出し先端部同士が水平に突き合うと共に、これと相前後して、第２底フラップ（１４ｂ）と第４底フラップ（１４ｄ）との張り出し先端部同士も水平に突き合い、しかも図５、６のような全体の二重に積層した有底状態として施蓋されることになる。
【００２８】
その結果、ガーデンフエンスや囲い柵、その他の各種屋外造作物（Ｆ）を組立施工するユーザーが、その型枠本体（１１）の有底状態にある第１〜４底フラップ（１４ａ）（１４ｂ）（１４ｃ）（１４ｄ）を、紙製や布製の接着テープ、その他の適当な仮止め具（１６）により固定維持すれば、段ボール紙（Ｐ）から成る軽量な埋込み型枠（Ｍ）であるにも拘らず、その型枠本体（１１）の底面に優れた支持強度を与えることができ、生コンクリート又はセメントモルタル（Ｃ）の充填圧力を受けて形崩れしたり、生コンクリート（Ｃ）の漏出したりするおそれがない。
【００２９】
但し、上記型枠本体（１１）における第１〜４底フラップ（１４ａ）（１４ｂ）（１４ｃ）（１４ｄ）の張り出し先端部には、特に図２、３のような支柱受け入れ凹溝（１７）を各々切り欠くことが好ましい。そうすれば、図５、６から明白なように、第１〜４底フラップ（１４ａ）（１４ｂ）（１４ｃ）（１４ｄ）を内向き直角に折り曲げ重合して、上記型枠本体（１１）の有底状態に施蓋した時、その支柱受け入れ凹溝（１７）同士が悉く合致連通して、１個の支柱受け入れ口（１８）を底面中央部に区成する結果となり、その内部へ上方から各種屋外造作物（Ｆ）の支柱（１０）を封止状態に差し込んで、安定良く起立させることができる。
【００３０】
その場合、図６、７では上記第１〜４底フラップ（１４ａ）（１４ｂ）（１４ｃ）（１４ｄ）の支柱受け入れ凹溝（１７）を、例えば切欠き幅が約５０mm×切欠き深さが約２５mmの半円形に付与して、その合致連通により区成された円形の支柱受け入れ口（１８）へ、例えば外径が約４８．６mmの丸パイプ材や丸棒材から成る支柱（１０）を受け入れ拘束するようになっているが、その支柱（１０）が角パイプ材や角棒材、山形鋼材、Ｈ形鋼材、サドル（Ｖ字）形鋼材などであるならば、上記支柱受け入れ凹溝（１７）を図８〜１２のような角張ったＵ字形として、その合致連通による正方形や長方形の支柱受け入れ口（１８）を区成しても良い。
【００３１】
他方、（１９ａ）（１９ｂ）は上記型枠本体（１１）の正方形な開口上端縁部からやはり連続して、各々上向き一体に張り出された向かい合う一対の第１、２屋根フラップであり、何れもその正方形の１辺にほぼ相当する一定幅（Ｗ）と一定長さ（Ｌ２）を備えている。但し、その一定の張り出し長さ（Ｌ２）は上記第１〜４底フラップ（１４ａ）（１４ｂ）（１４ｃ）（１４ｄ）の一定長さ（Ｌ１）よりも長い寸法であるならば、正方形の１辺より短かい寸法に設定してもさしつかえない。
【００３２】
つまり、第１、２屋根フラップ（１９ａ）（１９ｂ）は上記型枠本体（１１）の展開状態における長方形の長辺から図１、２のように、第１、３底フラップ（１４ａ）（１４ｃ）又は第２、４底フラップ（１４ｂ）（１４ｄ）と対応する位置での向かい合う一対として、張り出し分布されているのであり、やはり型枠本体（１１）との境界線をなす第５、６横折曲げ稜線（２０ａ）（２０ｂ）から、各々内向き鋭角（α）に折り曲げられる。
【００３３】
しかも、このような型枠本体（１１）における第１、２屋根フラップ（１９ａ）（１９ｂ）の張り出し先端部には、各々支柱挟み付け凹溝（２１）が切り欠かれている。茲に、支柱挟み付け凹溝（２１）は上記第１〜４底フラップ（１４ａ）（１４ｂ）（１４ｃ）（１４ｄ）の支柱受け入れ凹溝（１７）とほぼ同じ輪郭形状として切り欠かれているが、その切欠き深さだけは例えば約４０mmとして、上記支柱受け入れ凹溝（１７）の切欠き深さ（先に例示した約２５mm）よりも深く、意図的に相違変化されている。
【００３４】
図５、６のような有底状態の角筒体として組み立てられた型枠本体（１１）の正方形な開口上端縁部から、その後図１３、１４のように第１、２屋根フラップ（１９ａ）（１９ｂ）の向かい合う一対が内向きに折り曲げられると、その第１、２屋根フラップ（１９ａ）（１９ｂ）は上記正方形における１辺の半分よりも長い張り出し長さ（Ｌ２）を有するため、上記第１〜４底フラップ（１４ａ）（１４ｂ）（１４ｃ）（１４ｄ）と異なって、直角まで折り曲がらないうちに突き合う山形の傾斜状態となり、これと直交する関係の向かい合う相互間が山形の開放状態に保たれる。
【００３５】
その場合、第１、２屋根フラップ（１９ａ）（１９ｂ）の支柱挟み付け凹溝（２１）も突き合うため、上記支柱（１０）は型枠本体（１１）の筒芯線上に沿う正確な垂立状態として、その両屋根フラップ（１９ａ）（１９ｂ）の支柱挟み付け凹溝（２１）により自づと安定良く挟み付け保持される結果となる。（２２）は第１、２屋根フラップ（１９ａ）（１９ｂ）の山形を固定維持する接着テープやその他の適当な仮止め具である。
【００３６】
上記埋込み型枠（Ｍ）の型枠本体（１１）は先に例示した約４５０mmの一定深さ（Ｈ）を有するが、その深さ（Ｈ）は購入したユーザーでも、図１５〜１８のように浅く改変することができる。
【００３７】
即ち、深い型枠本体（１１）の中途部をカッターにより水平に切断して、上側本体部（１１ａ）と下側本体部（１１ｂ）に分離すると共に、その上側本体部（１１ａ）の四隅位置へ下方から悉く等しい深さのスリット（２３）を各々切り込むことにより、図１６のような合計４枚の第１〜４スカート片（２４ａ）（２４ｂ）（２４ｃ）（２４ｄ）を区成するのである。
【００３８】
そして、その上側本体部（１１ａ）の第１〜４スカート片（２４ａ）（２４ｂ）（２４ｃ）（２４ｄ）を下側本体部（１１ｂ）へ、図１７のように上方から被覆状態に差し込んだ後、その第１〜４スカート片（２４ａ）（２４ｂ）（２４ｃ）（２４ｄ）の好ましくは四隅位置を、紙製や布製の接着テープ、その他の適当な仮止め具（２５）によって、図１８のように押え付け固定維持すれば良い。上記スリット（２３）の切り込み深さ次第により、型枠本体（１１）の深さ（Ｈ）を容易に変更・調整できるわけである。
【００３９】
尚、図１５〜１８におけるその他の構成は図２〜１４の上記埋込み型枠（Ｍ）と実質的に同一であるため、その図１５〜１８に図２〜１４との対応符号を記入するにとどめて、その詳細な説明を省略する。
【００４０】
本発明の上記埋込み型枠（Ｍ）が１枚物の段ボール紙（Ｐ）から、図３、４のような角筒体に組み立てられている旨を説明したが、その販売時や不使用時には上記接着代（１３）での予じめ接着・閉合された扁平状態として、折りたたまれているのである。
【００４１】
そのため、これを購入したユーザーが使用するに当っては、先ず図３、４のように上記扁平な折りたたみ状態から角筒体に引き起し立体化した型枠本体（１１）を、有底状態に施蓋すべく、その第１〜４底フラップ（１４ａ）（１４ｂ）（１４ｃ）（１４ｄ）を各々内向き直角に折り曲げ重合させて、上記接着テープなどの仮止め具（１６）により固定維持する。
【００４２】
他方、ガーデンフエンスや囲い柵、その他の屋外造作物（Ｆ）を組立施工する現場の地面（Ｇ）に、その造作物（Ｆ）の支柱（１０）を立てる沓石となる基礎コンクリートブロック（Ｂ）の埋込み凹所（２６）を、例えば図１９のように上記型枠本体（１１）とほぼ対応する一定深さ（Ｈ）だけ掘削する。
【００４３】
次いで、その埋込み凹所（２６）へ上記有底状態にある角筒体の型枠本体（１１）を埋設し、その型枠本体（１１）の内部へ上方から図２０のように、支柱（１０）を差し込み起立させると共に生コンクリート（Ｃ）を充填して、その生コンクリート（Ｃ）の上面を左官コテにより均平化し、必要に応じて締め固めなどを行なう。
【００４４】
その場合に、第１〜４底フラップ（１４ａ）（１４ｂ）（１４ｃ）（１４ｄ）の支柱受け入れ凹溝（１７）から１個の支柱受け入れ口（１８）が区成されているならば、ここへ支柱（１０）を差し込むことにより、その支柱（１０）を型枠本体（１１）の底面中央部へ安定良く起立させることができることになる。その差し込んだ支柱（１０）は支柱受け入れ口（１８）を貫通してもさしつかえない。
【００４５】
何れにしても、型枠本体（１１）はその第１〜４底フラップ（１４ａ）（１４ｂ）（１４ｃ）（１４ｄ）の折り曲げ重合により、段ボール紙（Ｐ）からの厚肉な有底積層状態に保たれるため、生コンクリート（Ｃ）の充填圧力に耐え、形崩れや生コンクリート（Ｃ）の漏出などを起すおそれがない。
【００４６】
生コンクリート（Ｃ）の充填後には上記型枠本体（１１）の第１、２屋根フラップ（１９ａ）（１９ｂ）を、その張り出し先端部同士が図２１のような山形に突き合うまで、各々内向き鋭角（α）に折り曲げ、その向かい合う一対の支柱挟み付け凹溝（２１）により上記支柱（１０）を挟み付けて、振れ動かぬ垂立状態に拘束保持し、上記生コンクリート（Ｃ）が自然に硬化するまで放置すれば良い。
【００４７】
そして、その生コンクリート（Ｃ）が硬化したならば、上記埋込み型枠（Ｍ）をその文字通りに地面（Ｇ）へ埋設した状態のままとして、その型枠本体（１１）から図２２のように上記第１、２屋根フラップ（１９ａ）（１９ｂ）を切り取り除去し、生コンクリート（Ｃ）の上面を露出させれば良い。そうすれば、埋込み型枠（Ｍ）の全体が段ボール紙（Ｐ）から成り、吸水・軟化するため、可及的に早く腐朽することになる。尚、このような作業を支柱（１０）毎に繰り返すことにより、全体として完成したフエンス（Ｆ）の一部を図２３に例示している。
【符号の説明】
【００４８】
（１０）・支柱
（１１）・型枠本体
（１１ａ）・上側本体部
（１１ｂ）・下側本体部
（１２ａ）・第１縦折曲げ稜線
（１２ｂ）・第２縦折曲げ稜線
（１２ｃ）・第３縦折曲げ稜線
（１２ｄ）・第４縦折曲げ稜線
（１３）・接着代
（１４ａ）・第１底フラップ
（１４ｂ）・第２底フラップ
（１４ｃ）・第３底フラップ
（１４ｄ）・第４底フラップ
（１５ａ）・第１横折曲げ稜線
（１５ｂ）・第２横折曲げ稜線
（１５ｃ）・第３横折曲げ稜線
（１５ｄ）・第４横折曲げ稜線
（１６）（２２）（２５）・仮止め具
（１７）・支柱受け入れ凹溝
（１８）・支柱受け入れ口
（１９ａ）・第１屋根フラップ
（１９ｂ）・第２屋根フラップ
（２０ａ）・第５横折曲げ稜線
（２０ｂ）・第６横折曲げ稜線
（２１）・支柱挟み付け凹溝
（２３）・スリット
（２４ａ）・第１スカート片
（２４ｂ）・第２スカート片
（２４ｃ）・第３スカート片
（２４ｄ）・第４スカート片
（２６）・埋込み凹所
（Ｂ）・基礎コンクリートブロック（沓石）
（Ｃ）・生コンクリート又はセメントモルタル
（Ｆ）・屋外造作物（フエンス）
（Ｇ）・地面
（Ｍ）・埋込み型枠
（Ｐ）・段ボール紙
（Ｈ）・深さ
【図１】
2010196384.tif 000004
【図２】
2010196384.tif 000005
【図３】
2010196384.tif 000006
【図４】
2010196384.tif 000007
【図５】
2010196384.tif 000008
【図６】
2010196384.tif 000009
【図７】
2010196384.tif 000010
【図８】
2010196384.tif 000011
【図９】
2010196384.tif 000012
【図１０】
2010196384.tif 000013
【図１１】
2010196384.tif 000014
【図１２】
2010196384.tif 000015
【図１３】
2010196384.tif 000016
【図１４】
2010196384.tif 000017
【図１５】
2010196384.tif 000018
【図１６】
2010196384.tif 000019
【図１７】
2010196384.tif 000020
【図１８】
2010196384.tif 000021
【図１９】
2010196384.tif 000022
【図２０】
2010196384.tif 000023
【図２１】
2010196384.tif 000024
【図２２】
2010196384.tif 000025
【図２３】
2010196384.tif 000026
【図２４】
2010196384.tif 000027